(57)【要約】  【課題】  主に電気電子機器を取付けた基板をキャビネット内に収納し、ボルト止めによる基板の固定作業を容易に行うための基板の支持装置を提供する。  【解決手段】  基板取付面１に固着した基板取付具２に基板３を基板固定ボルト４で締付け固定するキャビネットにおいて、基板取付具２に挿着するガイド部材Ａと、ガイド部材Ａに設けた筒状ガイド部５に嵌合する摺動軸部６と、摺動軸部６から略Ｌ形状に突設し基板取付面１の中心方向に傾斜面を有する断面略三角形状の傾斜面７と係止凹部８とを有する係止部材Ｂと、係止部材Ｂを基板取付面１の中心方向に付勢するばね９とを備え、基板３の端部が係止部材Ｂの係止凹部８に係止する。  【選択図】  図２
2009117467.tif 000002
【特許請求の範囲】
【請求項１】
基板取付面に固着した基板取付具に基板を基板固定ボルトで締付け固定するキャビネットにおいて、前記基板取付具に挿着するガイド部材と、該ガイド部材に設けた筒状ガイド部に嵌合する摺動軸部と、該摺動軸部から略Ｌ形状に突設し前記基板取付面の中心方向に傾斜面を有する断面略三角形状の傾斜面と係止凹部とを有する係止部材と、前記係止部材を前記基板取付面の中心方向に付勢するばねとを備え、前記基板の端部が前記係止部材の係止凹部に係止することを特徴とするキャビネットのボルト止めによる基板の支持装置。
【請求項２】
前記摺動軸部にばね装着部を形成し、該ばね装着部に装着した圧縮ばねと、ピン挿通孔に挿通され筒状ガイド部に圧入されたばね受けピンと、前記ばね装着部の端部に設けたばね押えねじにより構成されたことを特徴とする請求項１に記載のキャビネットのボルト止めによる基板の支持装置。
【請求項３】
前記ガイド部材の基板取付具に挿着される挿入部には基板取付用ナットあるいは基板取付用ボルトのボルト頭部が装着可能なくぼみ部を有し、前記基板取付具の該くぼみ部に対応する位置に略Ｕ字形状の切り欠きを施し、前記基板取付用ナットあるいは基板取付用ボルトの装着と、前記ガイド部材の基板取付具への挿着が同時に行えることを特徴とする請求項１または請求項２に記載のキャビネットのボルト止めによる基板の支持装置。
【発明の詳細な説明】
【技術分野】
【０００１】
本発明は、主に電気電子機器を取付ける基板をキャビネット内にボルト止めする際の基板の支持装置に関するものである。
【背景技術】
【０００２】
主に電気電子機器をキャビネット内に取付ける基板の取付け構造は、キャビネットの基板取付面に固着した基板取付具に予め、基板取付用ねじ穴あるいは基板取付用ボルトが設けられてあり、基板を取付ける際は該基板をキャビネット内に仮置きし、仮置きした該基板を手で支えながら基板固定ボルトあるいは基板固定ナットで締付け固定するのが一般的である。
【０００３】
例えば特許文献１によると、基端にストッパー片（１ａ）を設けた逆Ｕ字状のホルダー本体（１）内に基板取付用のナット又はボルト頭部を保持するための保持部材（６）を嵌合させ基板のボルト止め又はナット止めを行おうとするものである。
【特許文献１】実開平７−２０００４号公報
【発明の開示】
【発明が解決しようとする課題】
【０００４】
然し、上記構造では、キャビネット内に基板を取付ける際は、仮置きした基板を手で支えながらボルト又はナットの締付作業を行わなければならない。特に基板が大きく各種の電気電子機器が取付けられて重くなるほど、キャビネット内の基板を手で支えながらの作業は困難で、更に不安定な基板を支えながら締付工具を扱う作業になるため、煩雑で危険な作業となっていた。
【０００５】
本発明は、上記のような問題点を解決し、大きくて重い基板でも安全に取付作業が出来ることを目的としたものである。
【課題を解決するための手段】
【０００６】
第１の発明では、基板取付面に固着した基板取付具に基板を基板固定ボルトで締付け固定するキャビネットにおいて、前記基板取付具に挿着するガイド部材と、該ガイド部材に設けた筒状ガイド部に嵌合する摺動軸部と、該摺動軸部から略Ｌ形状に突設し前記基板取付面の中心方向に傾斜面を有する断面略三角形状の傾斜面と係止凹部とを有する係止部材と、前記係止部材を前記基板取付面の中心方向に付勢するばねとを備え、前記基板の端部が前記係止部材の係止凹部に係止する。
【０００７】
第２の発明では、前記摺動軸部にばね装着部を形成し、該ばね装着部に装着した圧縮ばねと、ピン挿通孔に挿通され筒状ガイド部に圧入されたばね受けピンと、前記ばね装着部の端部に設けたばね押えねじにより構成している。
【０００８】
第３の発明では、前記ガイド部材の基板取付具に挿着される挿入部には基板取付用ナットあるいは基板取付用ボルトのボルト頭部が装着可能なくぼみ部を有し、前記基板取付具の該くぼみ部に対応する位置に略Ｕ字形状の切り欠きを施し、前記基板取付用ナットあるいは基板取付用ボルトの装着と、前記ガイド部材の基板取付具への挿着が同時に行える。
【発明の効果】
【０００９】
第１の発明によれば、キャビネットの基板取付面に固着した基板取付具に挿着したガイド部材と、摺動可能に嵌合した係止部材の係止凹部で基板を係止することにより基板の支持が可能になった。そのため、大形で重い基板でも前記係止部材の係止凹部で基板を係止、保持することが可能で従来のように基板を手で支えながらの作業は必要とせず、安全に基板固定ボルトの締付作業が行えるようになった。
【００１０】
第２の発明によれば、ガイド部材に設けた筒状ガイド部に、摺動可能に嵌合した基板の係止凹部を有する係止部材は、摺動軸部のばね装着部に装着された圧縮ばねで付勢し、係止凹部により基板を確実に係止、支持する効果がある。
【００１１】
第３の発明によれば、ガイド部材の基板取付具に挿着する挿入部には、基板取付用ナットあるいは基板取付用ボルトが装着可能なくぼみ部を設けたので、従来のように予め、基板取付具に基板取付用ねじ穴や取付用ボルトを設けておく必要がない。従って、基板取付具が統一され部材の共通化が図れる。
【００１２】
更に、基板取付用ナットあるいは基板取付用ボルトの装着と前記ガイド部材の基板取付具の挿着が同時に行えるので作業の簡略化と迅速化が図れるようになった。
【発明を実施するための最良の形態】
【００１３】
本発明の実施の形態を図１〜図４について説明する。
基板受け具１９に仮置きされた基板３が、基板取付面１に固着された基板取付具２に挿着されたガイド部材Ａに、摺動可能に嵌合され係止部材Ｂで係止支持された状態で、基板固定ボルト４あるいは基板固定ナット（図示せず）で基板３を締付固定する。
【００１４】
尚、基板取付具２はガイド部材Ａが挿着できるように、断面帽子状に形成してあり、その天面２０には基板３を基板固定ボルト４で締付固定するためのねじ孔２１が設けてある。また、ねじ孔２１の替わりにボルトを装着し、ナットで締付固定する方法もある（図示せず）。
【００１５】
ガイド部材Ａと一体の筒状ガイド部５には、摺動可能に嵌合する摺動軸部６と基板３を係止支持する係止凹部８を有する係止部材Ｂが摺動可能に嵌合されている。
【００１６】
筒状ガイド部５の筒内部には摺動可能に嵌合する摺動軸部６と、摺動軸部６から略Ｌ形状に突設し、基板取付面１の中心方向に傾斜面を有する断面略三角形状の傾斜面７と係止凹部８とを有する係止部材Ｂと、摺動軸部６の摺動方向にばね装着部１０が形成されてある。
【００１７】
ばね装着部１０に装着した圧縮ばね９は、ばね装着部１０に設けたピン挿通孔１１に挿通され筒状ガイド部５に圧入されたばね受けピン１２と、ばね装着部１０の端部に設けたばね押えねじ１３により、係止部材Ｂは基板取付面１の中心方向Ｃに付勢するように構成されてある。
【００１８】
すなわち、圧縮ばね９により常に基板取付面１の中心方向Ｃに付勢している係止部材Ｂに対し、基板受け具１９に仮置きされた基板３を押し込むことにより基板３の端部が係止部材Ｂの傾斜面７に当接する。更に基板３を押し込むことで係止部材Ｂが押し上げられ基板３の端部が係止部材Ｂの係止凹部８にはまり込み、基板取付面１の中心方向Ｃに付勢している係止部材Ｂは復元して係止することにより基板３の支持が完了する。
【００１９】
従って、従来は仮置きした基板を手で支えながら基板固定ボルトあるいは基板固定ナットを締付け固定していたが、以上の説明のように大きくて重い基板でも基板取付具に挿着した係止部材で基板の支持ができるので、手で支える必要もなく安全に基板の締付け固定作業が出来るようになった。
【００２０】
更に、図５に示す別の実施の形態では、ガイド部材Ａの基板取付具２に挿着される挿入部１４には基板取付用ナット１５あるいは基板取付用ボルト１６のボルト頭部が装着可能なくぼみ部１７を形成し、基板取付具２に挿入部１４を挿着したとき、断面帽子状に形成された基板取付具２の天面２０の、くぼみ部１７に対応する位置に略Ｕ字形状の切り欠き１８を施し、基板取付用ナット１５あるいは基板取付用ボルト１６の装着とガイド部材Ａの基板取付具２への挿着が同時に行えるようにした。
【００２１】
又、挿入部１４のスリット２２は挿着時の弾性を得るためで、くぼみ部１７に装着した基板取付用ナット１５あるいは基板取付用ボルト１６の頭部を挟み、脱落を防ぎ確実に保持するものである。更に、挿入部１４の先端には抜け防止用の突起２４を設けてある。
【００２２】
従来基板取付面に固着される基板取付具は、使用用途に応じてボルト止め用のねじ孔加工、あるいは、ボルト装着用と２種類の基板取付具が必要であったが、上記構造では、基板取付具の天面に略Ｕ字形状の切り欠きを施すことにより基板取付具の共用化が図れる。更に、ガイド部材と一体に設けた挿入部にくぼみ部を設けることにより、基板取付用ナットあるいは基板取付用ボルトの装着と、係止部材の装着が同時に行え、作業の簡素化と部材の削減が図れた。
【００２３】
尚、本発明の実施の形態では、基板取付面１に固着した基板取付具２の天面２０に略Ｕ字形状の切り欠き１８を施し、基板の取付具とガイド部材Ａの装着機能を併せ持つ形状としたが、基板取付面１には従来の基板取付具とは別にガイド部材Ａを装着する別部材を必要数別々に設けても良い。
【図面の簡単な説明】
【００２４】
【図１】本発明の実施の形態１の部分斜視図である。
【図２】基板取付具に挿着されたガイド部材の斜視図である。
【図３】本発明の実施の形態２におけるガイド部材の縦断面図である。
【図４】係止部材の斜視図である。
【図５】本発明の実施の形態３における基板取付具とガイド部材の斜視図である。
【符号の説明】
【００２５】
１    基板取付面
２    基板取付具
３    基板
４    基板固定ボルト
５    筒状ガイド部
６    摺動軸部
７    傾斜面
８    係止凹部
９    圧縮ばね
１０  ばね装着部
１１  ピン挿通孔
１２  ばね受けピン
１３  ばね押えねじ
１４  挿入部
１５  基板取付用ナット
１６  基板取付用ボルト
１７  くぼみ部
１８  切り欠き
Ａ    ガイド部材
Ｂ    係止部材
【図１】
2009117467.tif 000003
【図２】
2009117467.tif 000004
【図３】
2009117467.tif 000005
【図４】
2009117467.tif 000006
【図５】
2009117467.tif 000007